(57)【特許請求の範囲】
【請求項１】
業務プロセスにおける業務単位毎に発生する伝票データを管理する伝票データ管理サーバから当該伝票データを取得して、ユーザが使用する携帯端末からの要求に応じて通信ネットワークを介して伝票データを提供する携帯端末管理サーバであって、
前記携帯端末に提供するための伝票データを記憶する伝票データ記憶手段と、
前記伝票データ管理サーバから最新の伝票データを取得する伝票データ取得手段と、
該伝票データ取得手段によって取得された伝票データを前記伝票データ記憶手段に格納して当該伝票データ記憶手段に記憶されている伝票データを更新する伝票データ更新手段と、
前記携帯端末からのログイン要求があったときに、当該携帯端末に対してログインを許可するか否か判定するログイン判定手段と、
該ログイン判定手段によってログインを許可すると判定された場合にログイン処理を行うログイン処理手段と、
該ログイン処理手段によってログイン処理が実行されたログイン状態の前記携帯端末からの伝票データの閲覧要求を受け付ける閲覧要求受付手段と、
該閲覧要求受付手段によって受け付けられた閲覧要求に応じて、前記伝票データ記憶手段に記憶されている伝票データを前記携帯端末に対して提供する伝票データ提供手段と、
ログイン状態の前記携帯端末からの伝票データの更新要求を受け付ける更新要求受付手段と、
該更新要求受付手段によって更新要求が受け付けられたことに応じて、前記伝票データ管理サーバに対して、前記携帯端末を示す端末情報を提示してログイン要求を行うログイン要求手段と、
前記ログイン要求手段によるログイン要求に応じて前記伝票データ管理サーバにてログインが許可された場合に、前記伝票データ管理サーバに対して前記更新要求受付手段によって受け付けられた更新要求を行う更新要求手段とを含む
ことを特徴とする携帯端末管理サーバ。
【請求項２】
前記携帯端末は、予め定められた正規のログイン操作を受け付けた場合にのみログインを許可するログイン判定手段を有する
請求項１記載の携帯端末管理サーバ。
【請求項３】
前記携帯端末からのログアウト要求があったことに応じて、ログイン状態を解除するログアウト処理を行うログアウト処理手段と、
該ログアウト処理手段によってログアウト処理が実行されたことに応じて、前記携帯端末に対して伝票データの提供に関わる通信履歴情報を削除するよう要求する履歴情報削除要求手段とを含む
請求項１または請求項２記載の携帯端末管理サーバ。
【請求項４】
ログイン状態の前記携帯端末との情報のやりとりが行われていない時間を計測する時間計測手段と、
該時間計測手段の計測時間が所定時間に達した場合に、前記携帯端末に対して伝票データの提供に関わる通信履歴情報を削除するよう要求する履歴情報削除要求手段とを含む
請求項１から請求項３のうちいずれかに記載の携帯端末管理サーバ。
【請求項５】
業務プロセスにおける業務単位毎に発生する伝票データを管理する伝票データ管理サーバから当該伝票データを取得し、ユーザが使用する携帯端末からの要求に応じて通信ネットワークを介して伝票データを提供する処理を携帯端末管理サーバに実行させる携帯端末管理プログラムであって、
前記携帯端末に提供するための伝票データを記憶する伝票データ記憶手段を備えた前記携帯端末管理サーバに、
前記伝票データ管理サーバから最新の伝票データを取得する伝票データ取得処理と、
該伝票データ取得処理にて取得した伝票データを前記伝票データ記憶手段に格納して当該伝票データ記憶手段に記憶されている伝票データを更新する伝票データ更新処理と、
前記携帯端末からのログイン要求があったときに、当該携帯端末に対してログインを許可するか否か判定するログイン判定処理と、
該ログイン判定処理にてログインを許可すると判定した場合にログインのための処理を行うログイン処理と、
該ログイン処理が実行されたログイン状態の前記携帯端末からの伝票データの閲覧要求を受け付ける閲覧要求受付処理と、
該閲覧要求受付処理によって受け付けられた閲覧要求に応じて、前記伝票データ記憶手段に記憶されている伝票データを前記携帯端末に対して提供する伝票データ提供処理と、
ログイン状態の前記携帯端末からの伝票データの更新要求を受け付ける更新要求受付処理と、
該更新要求受付処理にて更新要求が受け付けたことに応じて、前記伝票データ管理サーバに対して、前記携帯端末を示す端末情報を提示してログイン要求を行うログイン要求処理と、
前記ログイン要求処理でのログイン要求に応じて前記伝票データ管理サーバにてログインが許可された場合に、前記伝票データ管理サーバに対して前記更新要求受付処理にて受け付けた更新要求を行う更新要求処理とを
実行させるための携帯端末管理プログラム。
【発明の詳細な説明】
【技術分野】
【０００１】
本発明は、業務プロセスにおける業務単位毎に発生する伝票データを管理する伝票データ管理サーバから当該伝票データを取得して、ユーザが使用する携帯端末からの要求に応じて通信ネットワークを介して伝票データを提供する携帯端末管理サーバ、および携帯端末管理サーバに搭載される携帯端末管理プログラムに関する。
【背景技術】
【０００２】
従来から、企業における基幹業務システムを構築するためのパッケージソフトウェアとして、ＥＲＰ（Enterprise Resource Planning）と呼ばれるものが主流となっていた。このＥＲＰが搭載された基幹業務システムでは、リレーショナルデータベース上で構築されることが多くなってきており、業務処理に主眼をおいたアプリケーションプログラムの設計がなされることが多く、帳票出力には主眼が置かれずに運用されることが多い。【０００３】
このような状況の下、大量の業務データを高速に処理し、様々な切り口で業務データを分析し、帳票出力することを目的として、基幹業務システムの補完的な役割を担う様々なデータウェアハウスシステムが提供されるようになった（特許文献１参照）。【０００４】
このような帳票出力を目的とする帳票照会システムにおいて、携帯通信端末に対して帳票などの情報を提供するものが提案されている（特許文献２−３参照）。
【先行技術文献】
【特許文献】
【０００５】
【特許文献１】特開２００２―３１２２０８号公報
【特許文献２】特開２００３―３２３５８２号公報
【特許文献３】特開２００７―２００１３６号公報
【発明の概要】
【発明が解決しようとする課題】
【０００６】
上記のような携帯通信端末に帳票などの情報を提供する帳票照会システムにおいては、外出先や移動中でも情報を取得することが可能となるという利便性は有しているが、情報漏えいの危険性が高まるという問題があった。従って、携帯通信端末に帳票などの情報を提供する帳票照会システムにおいては、その安全性の高いものが求められている。【０００７】
本発明は、上述した問題を解消し、携帯通信端末に帳票に関する情報を提供する業務システムにおいて、より安全性を向上させることを目的とする。
【課題を解決するための手段】
【０００８】
本発明の携帯端末管理サーバは、業務プロセスにおける業務単位毎に発生する伝票データを管理する伝票データ管理サーバから当該伝票データを取得して、ユーザが使用する携帯端末からの要求に応じて通信ネットワークを介して伝票データを提供する携帯端末管理サーバであって、前記携帯端末に提供するための伝票データを記憶する伝票データ記憶手段と、前記伝票データ管理サーバから最新の伝票データを取得する伝票データ取得手段と、該伝票データ取得手段によって取得された伝票データを前記伝票データ記憶手段に格納して当該伝票データ記憶手段に記憶されている伝票データを更新する伝票データ更新手段と、前記携帯端末からのログイン要求があったときに、当該携帯端末に対してログインを許可するか否か判定するログイン判定手段と、該ログイン判定手段によってログインを許可すると判定された場合にログイン処理を行うログイン処理手段と、該ログイン処理手段によってログイン処理が実行されたログイン状態の前記携帯端末からの伝票データの閲覧要求を受け付ける閲覧要求受付手段と、該閲覧要求受付手段によって受け付けられた閲覧要求に応じて、前記伝票データ記憶手段に記憶されている伝票データを前記携帯端末に対して提供する伝票データ提供手段と、ログイン状態の前記携帯端末からの伝票データの更新要求を受け付ける更新要求受付手段と、該更新要求受付手段によって更新要求が受け付けられたことに応じて、前記伝票データ管理サーバに対して、前記携帯端末を示す端末情報を提示してログイン要求を行うログイン要求手段と、前記ログイン要求手段によるログイン要求に応じて前記伝票データ管理サーバにてログインが許可された場合に、前記伝票データ管理サーバに対して前記更新要求受付手段によって受け付けられた更新要求を行う更新要求手段とを含むことを特徴とする。
【０００９】
上記の構成としたことで、携帯通信端末に帳票に関する情報を提供する業務システムにおいて、より安全性を向上させることができるようになる。【００１２】
前記携帯端末は、予め定められた正規のログイン操作を受け付けた場合にのみログインを許可するログイン判定手段を有する構成とされていてもよい。【００１３】
前記携帯端末からのログアウト要求があったことに応じて、ログイン状態を解除するログアウト処理を行うログアウト処理手段と、該ログアウト処理手段によってログアウト処理が実行されたことに応じて、前記携帯端末に対して伝票データの提供に関わる通信履歴情報を削除するよう要求する履歴情報削除要求手段とを含む構成とされていてもよい。【００１４】
ログイン状態の前記携帯端末との情報のやりとりが行われていない時間を計測する時間計測手段と、該時間計測手段の計測時間が所定時間に達した場合に、前記携帯端末に対して伝票データの提供に関わる通信履歴情報を削除するよう要求する履歴情報削除要求手段とを含む構成とされていてもよい。【００１５】
また、携帯端末管理プログラムは、業務プロセスにおける業務単位毎に発生する伝票データを管理する伝票データ管理サーバから当該伝票データを取得し、ユーザが使用する携帯端末からの要求に応じて通信ネットワークを介して伝票データを提供する処理を携帯端末管理サーバに実行させる携帯端末管理プログラムであって、前記携帯端末に提供するための伝票データを記憶する伝票データ記憶手段を備えた前記携帯端末管理サーバに、前記伝票データ管理サーバから最新の伝票データを取得する伝票データ取得処理と、該伝票データ取得処理にて取得した伝票データを前記伝票データ記憶手段に格納して当該伝票データ記憶手段に記憶されている伝票データを更新する伝票データ更新処理と、前記携帯端末からのログイン要求があったときに、当該携帯端末に対してログインを許可するか否か判定するログイン判定処理と、該ログイン判定処理にてログインを許可すると判定した場合にログインのための処理を行うログイン処理と、該ログイン処理が実行されたログイン状態の前記携帯端末からの伝票データの閲覧要求を受け付ける閲覧要求受付処理と、該閲覧要求受付処理によって受け付けられた閲覧要求に応じて、前記伝票データ記憶手段に記憶されている伝票データを前記携帯端末に対して提供する伝票データ提供処理と、ログイン状態の前記携帯端末からの伝票データの更新要求を受け付ける更新要求受付処理と、該更新要求受付手段によって更新要求が受け付けられたことに応じて、前記伝票データ管理サーバに対して、前記携帯端末を示す端末情報を提示してログイン要求を行うログイン要求処理と、前記ログイン要求手段によるログイン要求に応じて前記伝票データ管理サーバにてログインが許可された場合に、前記伝票データ管理サーバに対して前記更新要求受付手段によって受け付けられた更新要求を行う更新要求処理とを実行させるためのものである。
【発明の効果】
【００１６】
本発明によれば、携帯通信端末に帳票に関する情報を提供する業務システムにおいて、より安全性を向上させることができるようになる。
【図面の簡単な説明】
【００１７】
【図１】本発明の一実施の形態における帳票照会システムの構成例を示すブロック図である。
【図２】携帯端末管理サーバの構成例を示すブロック図である。
【図３】業務データの更新処理について説明するための説明図である。
【図４】業務データ提供処理の例を示すフローチャートである。
【図５】データ検索画面の例を示す説明図である。
【図６】検索結果表示画面の例を示す説明図である。
【図７】業務データ更新処理の例を示すフローチャートである。
【図８】編集画面の例を示す説明図である。
【発明を実施するための形態】
【００１８】
以下、本発明の一実施の形態の例について図面を参照して説明する。
【００１９】
図１は、本発明の一実施の形態に係る帳票照会システム５００の構成例を示すブロック図である。図１に示すように、帳票照会システム５００は、携帯端末管理サーバ１０と、中継機２０と、複数の携帯端末３１〜３Ｎ（Ｎは任意の正の整数）と、統合基幹業務システム１００とを含む。携帯端末管理サーバ１０と各携帯端末３１〜３Ｎとは、それぞれ、インターネットなどの通信ネットワーク４０及び中継機２０を介して接続される。携帯端末管理サーバ１０と統合基幹業務システム１００とは、ＬＡＮ（Local Area Network）や専用通信回線などの通信ネットワークを介して接続される。
【００２０】
統合基幹業務システム１００は、基幹業務サーバ１１０と、データウェアハウスサーバ（ＤＷＨサーバ）１２０と、業務情報ＤＢ１０１とを含む。なお、基幹業務サーバ１１０とＤＷＨサーバ１２０とは、専用通信回線により接続されているものとする。
【００２１】
基幹業務サーバ１１０は、例えば帳票データの収集対象となるデータ収集者によって管理されるサーバであり、各種業務に関する帳票情報を管理するための各種の機能を有する。基幹業務サーバ１１０は、ＯＳ（Operating System）やリレーショナルＤＢを備えた一般的な情報処理装置によって構成される。なお、帳票とは、帳簿や伝票類の総称である。また、帳簿とは、金銭や品物の出納に関する事項が記入されるものであり、伝票とは、帳簿を作成する際の基となるデータであり業務上の取引等の証拠となるものである。本例においては、基幹業務サーバ１１０が、帳票データとして伝票データのみを扱う場合を例に説明を行なう。
【００２２】
基幹業務サーバ１１０は、業務アプリケーションプログラムに従って各種の処理を実行する。業務アプリケーションプログラムとしては、例えば、販売業務管理プログラム、販売業務管理プログラム、生産管理プログラム、財務会計管理プログラム、および管理会計管理プログラムなどがある。
【００２３】
ＤＷＨサーバ１２０は、例えば本システムのシステム管理者によって管理されるサーバであり、データウェアハウスを実現するための各種の機能を有する。ここで、データウェアハウスとは、時系列で蓄積された帳票データなどの業務データの中から各項目間の関連性を分析するシステムをいう。また、ＤＷＨサーバ１２０は、基幹業務サーバ１１０から転送されたＣＳＶ形式のファイルを所定のデータ形式に変換するなどして、所定の格納領域（後述する業務関連データＤＢ１０１ｂ）に各種データを登録する機能を有する。なお、ＤＷＨサーバ１２０は、データ形式の変換を行わず、ＣＳＶ形式の状態から各格納領域に応じたデータを抽出する構成とされていてもよい。
【００２４】
業務情報ＤＢ１０１は、基幹業務サーバ１１０によって管理される伝票データＤＢ１０１ａと、ＤＷＨサーバ１２０によって管理される業務関連データＤＢ１０１ｂとを含む。
【００２５】
伝票データＤＢ１０１ａは、各種業務アプリケーションプログラムを用いた各種情報処理によって収集・整理等された各種の伝票データを記憶する記憶媒体である。伝票データＤＢ１０１ａにおいて、例えば、受注伝票に対応する伝票データについては、受注伝票ヘッダ情報、受注伝票明細情報、および納入日日程などが対応付けされ、伝票番号などのキーを元に検索可能な構造で記憶される。なお、伝票番号には、受注番号、発注番号、出荷番号、入出庫番号、請求書照会、請求番号、会計番号などが含まれる。
【００２６】
基幹業務サーバ１１０は、伝票データＤＢ１０１ａに記憶された各種データ（伝票データ）を、所定の抽出条件に応じてＣＳＶ
（Comma Separated Values）形式に変換して携帯端末管理サーバ１０に送信する機能を有する。なお、本例においては、基幹業務サーバ１１０は、ＦＴＰ（File Transfer Protocol）によりＣＳＶ形式にしたデータファイルを携帯端末管理サーバ１０に転送する。
【００２７】
携帯端末管理サーバ１０は、例えばＷＷＷサーバなどの情報処理装置によって構成され、本システム５００のシステム管理者によって管理される。携帯端末管理サーバ１０は、例えば図２に示すように、伝票データの管理に関する処理を行う伝票データ管理部１１と、ログインの管理に関する処理を行うログイン管理部１２と、携帯端末３１〜３Ｎに伝票データを提供する処理などを実行する伝票データ提供処理部１３と、携帯端末３１〜３Ｎからの要求に応じて伝票データを更新する処理などを実行する伝票データ更新処理部１４と、顧客情報の管理に関する処理を行う顧客情報管理部１５と、業務情報一時保管ＤＢ１６とを含む。
【００２８】
業務情報一時保管ＤＢ１６は、統合基幹業務システム１００側から取得した伝票データなどの業務データを一時的に保存する記憶媒体である。業務情報一時保管ＤＢ１６に記憶される伝票データなどの業務データは、例えば定期的（１日毎、３日毎、１２時間毎など）に更新される。
【００２９】
各携帯端末３１〜３Ｎは、ＣＰＵ（中央処理装置）、ＲＯＭ、ＲＡＭ、および表示部などを備えた例えばＩｐａｄ（登録商標）などの情報処理装置である。本例においては、各携帯端末３１〜３Ｎは、Ｗｅｂブラウザなど、帳票データを扱うために利用可能な各種アプリケーションを有しているものとする。また、本例においては、各携帯端末３１〜３Ｎは、例えばユーザによる操作入力に応じて、携帯端末管理サーバ１０から必要な帳票データを取得するためのクエリ（検索項目、検索キー、抽出キーなど）を定義し、携帯端末管理サーバ１０に送信する機能を有する。
【００３０】
本例においては、各携帯端末３１〜３Ｎは、中継機２０及び通信ネットワーク４０を介して携帯端末管理サーバ１０と通信し、携帯端末管理サーバ１０から取得したデータを例えば所定のＷｅｂアプリケーション（Ｗｅｂブラウザ）などのソフトウェアの機能により表示部に出力する機能を有する。
【００３１】
ここで、業務情報一時保管ＤＢ１６に記憶される伝票データなどの業務データを更新する処理について説明する。図３は、業務データの更新処理を説明するための説明図である。図３に示すように、基幹業務サーバ１１０におけるファイル出力部１１１は、データ更新のタイミング（例えば、１日毎に更新する場合は、予め定められた所定の時間（深夜２時など）。）になると、基幹業務サーバ１１０が備える伝票データＤＢ１０１ａに格納されている伝票データ（最新のデータとなる）を読み出して、ファイル転送部１１２に転送する。また、ＤＷＨサーバ１０１ｂは、予め定められた所定の時間になると、同様に、ＤＷＨサーバ１０１ｂが備える業務関連データＤＢ１０１ｂに格納されている業務データ（最新のデータとなる）を読み出して、基幹業務サーバ１１０が備えるファイル転送部１１２に転送する。なお、伝票データＤＢ１０１ａに格納されている伝票データには、例えば図３に示すように、例えば品目データ、取引先データ、定義データ、在庫データ、受注データ、与信データ、ＢＩ元データなどがある。また、業務関連データＤＢ１０１ｂに格納されている業務データには、例えば図３に示すように、得意先別品目別販売実績情報、売れ筋情報などがある。
【００３２】
基幹業務サーバ１１０が備えるファイル転送部１１２は、ファイル出力部１１１とＤＷＨサーバ１２０とからそれぞれ受けた業務データを携帯端末管理サーバ１０に送信する。携帯端末管理サーバ１０における伝票データ管理部１１のファイル取込部１１ｂは、業務データ（バッチファイル１１ａ）を受信すると、受信した業務データを業務情報一時保管ＤＢ１６の所定の格納領域に格納（新規保存、あるいは上書保存）し、業務情報一時保管ＤＢ１６の記憶情報を更新する。このようにして、バッチ処理により業務情報一時保管ＤＢ１６の記憶情報が更新される。
【００３３】
次に、本例の帳票照会システム５００の動作について図面を参照して説明する。なお、本発明に特に関係しない動作や処理については、その内容を省略している場合がある。
【００３４】
図４は、本例の帳票照会システム５００における携帯端末管理サーバ１０などが実行する業務データ提供処理の例を示すフローチャートである。ここでは、ユーザＸが使用する携帯端末３１からの要求に応じて業務データを提供する場合を例に説明する。
【００３５】
業務データ提供処理において、先ず、携帯端末３１は、ユーザＸのログイン操作によるログイン要求を受け付ける（ステップＳ１０１）。このログイン操作は、例えば予め設定された暗証番号の入力操作などが考えられる。携帯端末３１へのログインが許可されると、携帯端末３１に搭載されている各種の機能を利用するための各種の操作を行うことが許容される。
【００３６】
携帯端末３１にログインしている状態であるときにユーザＸによって所定のログイン操作が実行されると、携帯端末３１は、携帯端末管理サーバ１０に対してアクセスし、ログイン要求を行う（ステップＳ１０２）。このログイン要求は、例えば、予め定められたログイン判定に用いられる所定の情報（例えばユーザＸに対して発行された電子証明書）が提示されて行われる。
【００３７】
携帯端末管理サーバ１０のログイン管理部１２は、ログイン要求を受けると、ログインを許可するか否かを判定する（ステップＳ１０３）。この判定は、例えば、ＩＤ、パスワード、電子証明書などによって行うようにすればよい。
【００３８】
ログイン管理部１２は、ログインを許可すると判定した場合には（ステップＳ１０３のＹ）、携帯端末３１をログイン状態に設定する。ログイン状態に設定されると、携帯端末管理サーバ１０の伝票データ提供処理部１３は、データ検索画面を示すデータ検索画面情報を携帯端末３１に送信する（ステップＳ１０４）。なお、ログインを許可しないと判定した場合には（ステップＳ１０３のＮ）、ログイン管理部１２は、ログイン状態に設定することなく処理を終了する。なお、ログインを許可しないと判定した場合には、ログイン管理部１２が、その旨を携帯端末３１に対して通知する処理を行う。
【００３９】
データ検索画面情報を受信すると、携帯端末３１は、受信したデータ検索画面情報が示すデータ検索画面を自己が備える表示部に表示する（ステップＳ１０５）。図５は、データ検索画面の例を示す説明図である。図５に示すように、データ検索画面には、検索対象とする項目（検索項目）を入力する検索項目入力領域６０１と、検索の際に用いるキーワード（検索ワード）を入力する検索ワード入力領域６０２と、前画面に戻る際に押下される戻るボタンＢ１と、検索を実行する際に押下される検索ボタンＢ２とが設けられている。
【００４０】
データ検索画面において、ユーザＸは、携帯端末３１が備える操作部（例えばタッチパネルが配置された表示部に表示されたキーボード）を操作して、検索項目と検索ワードとを入力し、検索ボタンＢ２を押下する。検索項目には、例えば、受注伝票、在庫、取引先、商品名などの項目が入力される。検索ワードには、取引先の名称、商品の名称などが入力される。
【００４１】
検索項目及び検索ワードが入力され検索ボタンＢ２が押下されると、携帯端末３１は、携帯端末管理サーバ１０に対して、入力された検索項目及び検索ワードを検索条件として提示して、業務データの提供要求を行う（ステップＳ１０６）。なお、上記の検索条件は一例であり、検索可能な条件であれば他のどのような条件であってもよい。
【００４２】
携帯端末管理サーバ１０は、業務データの提供要求を受けると、業務情報一時保管ＤＢ１６を参照して、提示された検索条件に従って業務データを検索する（ステップＳ１０７）。
【００４３】
検索条件に従って業務データを検索すると、携帯端末管理サーバ１０は、検索した業務データを検索結果として表示する検索結果画面を示す検索結果画面情報を携帯端末３１に送信する（ステップＳ１０８）。
【００４４】
検索結果画面情報を受信すると、携帯端末３１は、受信した検索結果画面情報が示す検索結果画面を自己が備える表示部に表示する（ステップＳ１０９）。図６は、検索結果画面の例を示す説明図である。図６に示すように、検索結果画面には、検索結果を表示する表示領域６０３と、前画面に戻る際に押下される戻るボタンＢ１と、検索結果の編集を行う際に押下される編集ボタンＢ３とが設けられている。
【００４５】
その後、ユーザＸによるブラウザを終了する操作などのアクセスを終了するための操作がなされた場合には（ステップＳ１１０のＹ）、携帯端末３１は、携帯端末管理サーバ１０に対してログアウト要求を行う（ステップＳ１１１）。なお、戻るボタンＢ１の押下などアクセスを継続するための操作がなされた場合には（ステップＳ１１０のＮ）、携帯端末３１は、ステップＳ１０５の処理に移行してデータ検索画面を表示する。
【００４６】
ステップＳ１０８にて検索結果画面情報を送信すると、ログイン管理部１２は、携帯端末３１との情報のやりとりが行われていない時間（待機時間）の計測を開始し、この待機時間が所定時間（例えば５分、１０分、３０分など）を経過（所定時間に到達）したか否かを監視する（ステップＳ１１２）。
【００４７】
待機時間の計測中にログアウト要求を受けると（ステップＳ１１３のＹ）、ログイン管理部１２は、待機時間の計測を中止し、携帯端末３１に対して今回の通信による履歴情報（通信履歴情報、操作履歴情報など）の消去要求を行い（ステップＳ１１４）、ログイン状態を解除するログアウト処理を行う（ステップＳ１１５）。
【００４８】
また、待機時間が所定時間を経過したと判定した場合には（ステップＳ１１２のＹ）、ログイン管理部１２は、待機時間の計測を終了し、携帯端末３１に対して今回の通信による履歴情報（通信履歴情報、操作履歴情報など）の消去要求を行い（ステップＳ１１４）、ログイン状態を解除するログアウト処理を行う（ステップＳ１１５）。
【００４９】
そして、携帯端末３１は、履歴情報の消去要求を受けると、携帯端末管理サーバ１０との今回の通信によって蓄積された履歴情報を消去する処理を行う（ステップＳ１１６）。
【００５０】
上記のようにして、ログイン処理によって操作可能となった携帯端末３１からのログイン要求に応じて携帯端末管理サーバ１０に対するログインを許可するか否か判定し、許可した場合に業務データの提供要求を受け付けて、要求に応じた業務データを提供する処理が実行される。
【００５１】
上記のようにして業務データの提供処理を行うことによって、ステップＳ１０１及びステップＳ１０３にて２重に認証を行うことができ、また統合基幹業務システム１００にアクセスする必要がないようにすることができるため、携帯端末３１に対して業務データを提供する際の安全性を向上させることが可能となる。
【００５２】
図７は、基幹業務サーバ１１０、携帯端末管理サーバ１０、及び携帯端末３１が実行する業務データ更新処理の例を示すフローチャートである。ここでは、ユーザＸが使用する携帯端末３１からの要求に応じて業務データを更新する場合を例に説明する。
【００５３】
業務データ更新処理におけるステップＳ２０１〜Ｓ２０９は上述した業務データ提供処理におけるステップＳ１０１〜Ｓ１０９と同様の処理であり、業務データ更新処理におけるステップＳ２１９〜Ｓ２２５は上述した業務データ提供処理におけるステップＳ１１０〜Ｓ１１６と同様の処理であるため、業務データ更新処理におけるステップＳ２０１〜Ｓ２０９，Ｓ２１９〜Ｓ２２５についての詳細な説明は省略する。
【００５４】
業務データ更新処理におけるステップＳ２０９にて検索結果画面情報が示す検索結果画面（図６参照）を自己が備える表示部に表示したあと、携帯端末３１は、編集ボタンＢ３の押下を受け付けると、表示領域６０３に表示されている検索結果を編集可能な編集画面を表示する。図８は、編集画面の例を示す説明図である。図８に示すように、編集画面には、検索結果を編集可能に表示する編集領域６０４と、前画面に戻る際に押下される戻るボタンＢ１と、編集結果をサーバ１０，１１０側で保存されている業務データに反映させる際に押下される更新ボタンＢ４とが設けられている。
【００５５】
ユーザＸは、編集画面において、携帯端末３１を操作して、編集領域６０４に表示されている業務データを追加（例えば、伝票の新規登録）、消去、変更などすることにより、検索結果として表示されている業務データを編集する作業を行う。そして、編集作業を終えたあと、編集結果をサーバ１０，１１０側で保存されている業務データに反映させる場合には、ユーザＸは、携帯端末３１を操作して、更新ボタンＢ４を押下する。
【００５６】
更新ボタンＢ４の押下を受け付けた場合には、携帯端末３１は、携帯端末管理サーバ１０に対して編集結果の反映を要求するための情報書換要求を行う（ステップＳ２１０）。この要求においては、編集内容や、携帯端末管理サーバ１０に関する携帯端末管理サーバ情報（例えば、携帯端末管理サーバ１０に対して発行された電子証明書）、ユーザＸに関するユーザ情報（例えば、ユーザＸに対して発行された電子証明書など）などが提示される。
【００５７】
情報書換要求を受けると、携帯端末管理サーバ１０は、基幹業務サーバ１１０に対してアクセスし、ログイン要求を行う（ステップＳ２１１）。このログイン要求は、例えば、予め定められたログイン判定に用いられる所定の情報（例えば、携帯端末管理サーバ１０に対して発行された電子証明書、ユーザＸに対して発行された電子証明書など）が提示されて行われる。
【００５８】
基幹業務サーバ１１０は、ログイン要求を受けると、ログインを許可するか否かを判定する（ステップＳ２１２）。この判定は、例えば、ＩＤ、パスワード、電子証明書などによって行うようにすればよい。
【００５９】
基幹業務サーバ１１０は、ログインを許可すると判定した場合には、携帯端末３１からの情報の受け入れに関して携帯端末管理サーバ１０をログイン状態に設定する（ステップＳ２１３）。ログイン状態に設定されると、基幹業務サーバ１１０は、携帯端末３１から携帯端末管理サーバ１０を介して入力した編集内容に従って、業務情報ＤＢ１０１に保存されている該当する業務データを書き換える処理を実行する（ステップＳ２１４）。そして、基幹業務サーバ１１０は、携帯端末管理サーバ１０に対して編集内容に従って書き換えたことを通知するための書換通知を送信する（ステップＳ２１５）。その後、基幹業務サーバ１１０は、ログアウト処理を行う。
【００６０】
書換通知を受信すると、携帯端末管理サーバ１０は、基幹業務サーバ１１０と同様に、携帯端末３１から入力した編集内容に従って、業務情報一時保管ＤＢ１６に保存されている該当する業務データを書き換える処理を実行する（ステップＳ２１６）。そして、携帯端末管理サーバ１０は、携帯端末３１に対して編集内容に従って書き換えたことを通知するための書換通知を送信する（ステップＳ２１７）。
【００６１】
書換通知を受信すると、携帯端末３１は、自己が編集画面の所定領域に、編集結果が反映された旨をユーザＸに報知するための書換反映通知を表示する（ステップＳ２１８）。
【００６２】
その後、上述した業務データ提供処理と同様にして、ステップＳ２１９以降の処理が実行される。
【００６３】
上記のようにして、ログイン処理によって操作可能となった携帯端末３１からのログイン要求に応じて携帯端末管理サーバ１０に対するログインを許可するか否か判定し、許可した場合に業務データの書換要求を受け付けて、書換要求を受け付けた場合に基幹業務サーバ１１０に対してログイン要求を行い、許可された場合に基幹業務サーバ１１０にて業務データを書き換える処理が行われ、同様に携帯端末管理サーバ１０でも業務データを書き換える処理が実行される。
【００６４】
上記のようにして業務データの書換処理を行うことによって、ステップＳ２０１，ステップＳ２０３及びステップＳ２１２にて３重に認証を行うことができ、また統合基幹業務システム１００に携帯端末３１から直接アクセスされることがないようにすることができるため、携帯端末３１からの要求に応じて業務データを更新する際の安全性を向上させることが可能となる。
【００６５】
上記の例では、携帯端末管理サーバ１０が携帯端末３１からの書換要求を受け付ける毎に基幹業務サーバ１１０に対してログイン要求を行い、基幹業務サーバ１１０にて業務データを書き換える処理が行われる構成としていたが、携帯端末管理サーバ１０が、携帯端末３１〜３Ｎからの書換要求を受け付けた場合に、その編集内容及び書換要求元となる携帯端末３１〜３Ｎに関する情報（認証に必要な情報）を蓄積しておき、所定のタイミング（例えば、毎日２３時など）でバッチ処理により基幹業務サーバ１１０に対して書換要求を行う構成としてもよい。この場合、所定のタイミングで、書換要求元となる各携帯端末３１〜３Ｎに関する情報を提示してログイン要求を行い、ログインが許可された端末装置を書換要求元とする編集内容のみを基幹業務サーバ１１０にて業務データに反映するようにすればよい。
【００６６】
すなわち、携帯端末管理サーバ１０が、ログイン状態の携帯端末からの伝票データの更新要求を受け付け、受け付けた更新要求の更新内容（編集内容）と、その更新要求を行った携帯端末を示す端末情報（例えば電子証明書）とを含む更新関連情報を蓄積（例えば携帯端末管理サーバ１０が備える記憶媒体に蓄積する。）し、所定のタイミング（例えば、毎日２３時など）となったときに、蓄積されている更新関連情報を伝票データ管理サーバ（例えば、基幹業務サーバ１１０）に対して一括して送信し、ログイン状態であった各携帯端末から受け付けた更新要求を一括して行う構成としてもよい。このように構成すれば、基幹業務サーバ１１０へのアクセス回数を大幅に減らすことが可能となり、安全性をより向上させることができるようになる。
【００６７】
以上に説明したように、上述した実施の形態では、業務プロセスにおける業務単位毎に発生する伝票データを管理する伝票データ管理サーバ（例えば、基幹業務サーバ１１０）からその伝票データを取得して、ユーザが使用する携帯端末３１〜３Ｎからの要求に応じて通信ネットワーク４０を介して伝票データを提供する携帯端末管理サーバ１０が、携帯端末３１〜３Ｎに提供するための伝票データを記憶する業務情報一時保管ＤＢ１６を備え、伝票データ管理サーバから最新の伝票データを取得し、取得した伝票データを業務情報一時保管ＤＢ１６に格納して業務情報一時保管ＤＢ１６に記憶されている伝票データを更新し、携帯端末３１〜３Ｎからのログイン要求があったときに、携帯端末３１〜３Ｎに対してログインを許可するか否か判定し、ログインを許可すると判定した場合にログイン処理を行い、ログイン処理が実行されたログイン状態の携帯端末３１〜３Ｎからの伝票データの閲覧要求（提供要求、検索要求）を受け付け、受け付けた閲覧要求に応じて、業務情報一時保管ＤＢ１６に記憶されている伝票データを携帯端末３１〜３Ｎに対して提供する構成とされているので、携帯通信端末（携帯端末３１〜３Ｎ）に帳票に関する情報（例えば伝票データ）を提供する業務システム（帳票照会システム５００）において、より安全性を向上させることができるようになる。
【００６８】
すなわち、伝票データを基幹業務サーバ１１０から携帯端末管理サーバ１０に転送しておき、この携帯端末管理サーバ１０にログインが許可された携帯端末３１〜３Ｎに対して伝票データを提供する構成としているので、基幹業務サーバ１１０にアクセスすることなく、携帯端末管理サーバ１０が認証した携帯端末３１〜３Ｎに対して携帯端末管理サーバ１０から伝票データを提供することが可能となり、携帯端末３１に対して業務データを提供する際の安全性を向上させることが可能となる。
【００６９】
また、上述した実施の形態では、携帯端末管理サーバ１０が、ログイン状態の携帯端末３１〜３Ｎからの伝票データの更新要求を受け付け、更新要求を受け付けたことに応じて、伝票データ管理サーバ（例えば、基幹業務サーバ１１０）に対して、携帯端末３１〜３Ｎを示す端末情報（例えば、端末あるいはユーザに対して発行された電子証明書）を提示してログイン要求を行い、ログイン要求に応じて伝票データ管理サーバにてログインが許可された場合に、伝票データ管理サーバに対して更新要求を行う構成としているので、携帯端末３１〜３Ｎからの要求に応じて業務データを更新する際の安全性を向上させることが可能となる。すなわち、携帯端末３１〜３Ｎから伝票データ管理サーバに直接アクセスすることなく、携帯端末管理サーバ１０及び伝票データ管理サーバにて２重の認証を受けた場合に業務データの更新を許容する構成としているので、業務データを更新する際の安全性を向上させることが可能となる。
【００７０】
また、上述した実施の形態では、携帯端末３１〜３Ｎが、予め定められた正規のログイン操作を受け付けた場合にのみログインを許可する構成としているので、携帯端末３１〜３Ｎでの認証も必要とするようにすることができ、２重あるいは３重の認証を必要とするようにすることができ、安全性をさらに高めることが可能となる。
【００７１】
また、上述した実施の形態では、携帯端末管理サーバ１０が、携帯端末３１〜３Ｎからのログアウト要求があったことに応じて、ログイン状態を解除するログアウト処理を行い、ログアウト処理が実行されたことに応じて、携帯端末３１〜３Ｎに対して伝票データの提供に関わる通信履歴情報を削除するよう要求する構成としているので、通信履歴情報を消去させることが可能となり、携帯端末３１〜３Ｎの紛失等によって情報が漏洩してしまうことを防止することができるようになる。
【００７２】
また、上述した実施の形態では、携帯端末管理サーバ１０が、ログイン状態の携帯端末３１〜３Ｎとの情報のやりとりが行われていない時間を計測し、その計測時間が所定時間に達した場合に、携帯端末３１〜３Ｎに対して伝票データの提供に関わる通信履歴情報を削除するよう要求する構成としているので、通信履歴情報を消去させることが可能となり、携帯端末３１〜３Ｎの紛失等によって情報が漏洩してしまうことを防止することができるようになる。
【００７３】
なお、上述した実施の形態では特に言及していないが、携帯端末管理サーバ１０は、自己が備える記憶媒体に記憶されている処理プログラム（携帯端末管理プログラム）に従って、上述した各処理（図４、図７参照）を実行する。
【産業上の利用可能性】
【００７４】
本発明によれば、携帯通信端末に帳票に関する情報を提供する業務システムにおいて、より安全性を向上させるのに有用である。
【符号の説明】
【００７５】
１０              携帯端末管理サーバ
２０              中継機
３１〜３Ｎ        携帯端末
４０              通信ネットワーク
５０              通信ネットワーク
１００            統合基幹業務システム
１１０            基幹業務サーバ
１２０            ＤＷＨサーバ
５００            帳票照会システム
【図１】
0005558571.tif 000002
【図２】
0005558571.tif 000003
【図３】
0005558571.tif 000004
【図４】
0005558571.tif 000005
【図５】
0005558571.tif 000006
【図６】
0005558571.tif 000007
【図７】
0005558571.tif 000008
【図８】
0005558571.tif 000009